(57)【要約】【課題】草食性動物に警戒心を起こさせて、造林地の苗木に接近し難くするようにして食害を未然に防止して、また夜間に摂食行動をする草食性動物による食害を未然に防止すること。【解決手段】植栽した苗木の幹又は全体を包囲する本体を備えた食害防止具であって、上記本体の一部又は全体に視覚に訴える忌避手段を設けて成る。上記忌避手段としては、警戒色を付した彩色部で構成するか、特に夜間における摂食行動を防ぐように、蓄光材を適用した蓄光部で構成することもある。【選択図】　図１
2004049181.tif 000002
【特許請求の範囲】
【請求項１】
植栽した苗木の幹又は全体を包囲する本体を備えた食害防止具であって、上記本体の一部又は全部に視覚に訴える忌避手段を備えたことを特徴とする造林苗木用食害防止具。
【請求項２】
忌避手段が、警戒色を付した彩色部である請求項１に記載の造林苗木用食害防止具。
【請求項３】
忌避手段が、蓄光材を適用した蓄光部である請求項１に記載の造林苗木用食害防止具。
【発明の詳細な説明】
【０００１】
【発明の属する技術分野】
本発明は、造林地に植えた針葉樹（ヒノキ・スギ・カラマツ・アカマツ等）や広葉樹（ブナ・ミズナラ・クリ等）の苗木が主として草食性動物（ニホンジカ・カモシカ等）による摂食被害（以下、単に食害という）にあうのを防止するのに使用する造林苗木用食害防止具の改良に関する。
【０００２】
【従来の技術】
従来、この種の食害防止具として、植栽した苗木の幹や苗木全体を不織布・プラスチック板・ネット等で以て包囲するようにしたものが用いられている（例えば、特開２０００−３００１４７公報、特開２０００−１４５０１７公報等）。しかし、従来の食害防止具は、草食性動物に警戒心を起こさせる手段を備えていなかった。よって、草食性動物が造林地の苗木に警戒心を起こすことなく容易に接近することができ、食害を未然に防止することができなかった。
【０００３】
【発明が解決しようとする課題】
本発明は、草食性動物に警戒心を起こさせて造林地の苗木に接近し難くするようにして食害を未然に防止し、その結果、食害を減少することを課題とする。
【０００４】
【課題を解決するための手段】
本発明の食害防止具は、植栽した苗木の幹又は全体を包囲する本体を備えた食害防止具であって、上記本体の一部又は全部に視覚に訴える忌避手段を備えたことを特徴とする（請求項１）。
【０００５】
この手段によれば、本体の一部又は全部に視覚に訴える忌避手段を備えているから、忌避手段によって草食性動物に警戒心を起こさせる。従って、草食性動物の苗木への接近が抑制され、食害が未然に防止される。
【０００６】
この発明において、忌避手段は、警戒色を付した彩色部である構成（請求項２）が好適である。ここで、警戒色とは、生物界で有毒で危険な生物が備えている鮮やかな色や模様を意味する。
このように構成したものは、食害防止具が生物学上のいわゆる「ベーツ型擬態」の効果を発揮して、草食性動物に警戒心を起こさせることができる。なお、ベーツ型擬態とは、毒のない生物や弱い生物が捕食者から身を守るために有毒な生物の色彩や形態を真似ることをいう。
【０００７】
また、この発明において、忌避手段は蓄光材を適用した蓄光部である構成（請求項３）が好適である。ここで、蓄光材とは、太陽光を受けるとそのエネルギーを蓄えて暗くなると発光する素材を意味する。
このように構成したものは、食害防止具の一部又は全体が夜間に造林地全体で点々と発光する異様な景観が現出されるから、夜間に摂食行動をする草食性動物に警戒心を起こさせることができる。ところで、弱い動物が襲われそうになると、発光することによって逃げる手法を使うことが生物学上知られているが、上記構成はこの手法を応用したものである。
【０００８】
【発明の実施の形態】
本発明の実施の形態を図面を参照して説明する。
【０００９】
図１に示す第１の実施の形態において、食害防止具Ａは、植栽した苗木全体Ｔを包囲可能な大きさのシート状に裁断した生分解性不織布から成る本体１と、この本体１の両端部分に補強棒を内装した接合部２，２と、この接合部２，２の補強棒の下端に固着したペグ３，３と、当接した接合部２，２を固定する１乃至複数の止め具４，４とから成る。そして、上記本体１の上部には、忌避手段として、警戒色である黄・黒の斜め縞模様の彩色部５を設けて成る。
【００１０】
図２に示す第２の実施の形態では、本体１の上部に、忌避手段として、赤の蛍光塗料と黒の通常塗料とで縦縞模様に付した彩色部６を設けて成る。
【００１１】
図３に示す第３の実施の形態では、本体１の上部に、忌避手段として、蓄光材をコーティングした蓄光部７を設けて成る。
【００１２】
上述の実施の形態において、忌避手段は、生分解性不織布の本体１の限定されるものではなく、通常の不織布の他、プラスチック板、ネット等の本体にも適用することができる。また、忌避手段の形成箇所としては、本体１の全部に設けることも可能であるが、食害防止具としての通気性や透光性を考慮すると、不織布製の本体の一部に設けた方がより一層好ましい。
【００１３】
第１，２の実施の形態において、彩色部５，６は、上記模様だけでなく、例えば、スズメバチやアシナガバチの黄・黒の斑模様、ドクガエルのコバルトブルー・黒の斑模様、スズカエルの赤・黒の斑模様、毒蛇であるサンゴヘビの赤・黒模様、毒蝶の派手な色、カメレオン類の蛍光模様等を適宜採用することができ、また模様だけでなく、単一色にすることもある。
【００１４】
また、彩色部５，６は、警戒色の塗料及び／又は顔料による着色や警戒色を付したフィルム又はテープの接着によって形成することができる。また、本体が不織布の場合、警戒色の顔料を混入して延伸した繊維を用い、また本体がプラスチック板やネットの場合、警戒色の塗料又は顔料を混入した樹脂を用いて形成することもできる。
塗料としては、工業的に使用されている警戒色の各種塗料や蛍光塗料を適宜選択して使用することができ、またフィルム又はテープとしては、危険箇所表示に使用されているトラテープや警戒色の蛍光テープを使用することができる。
【００１５】
第３の実施の形態において、蓄光部７は、蓄光材を本体に直接コーティングするのに代えて、蓄光材をコーティングしたフィルム又はテープの接着や蓄光塗料の塗布によっても形成することができる。
【００１６】
また、蓄光部を本体の一部に形成したが、蓄光顔料を混入した繊維（以下、蓄光繊維という）を用いたり、不織布製造工程で適用する繊維結合剤中に蓄光顔料を分散することによって不織布製の本体全体に、また蓄光材の粉体を樹脂に混入することによりプラスチック板製やネット製の本体全体に蓄光部を形成することができる。この場合、食害防止具としての通気性や透光性を考慮すると、蓄光繊維を用いたものがより一層好ましい。
【００１７】
上記蓄光材としては、例えば、ストロンチウムアルミネート等のアルミン塩蓄光体、硫化カルシウム・硫化亜鉛・硫化カドミウム等の硫化物蓄光体があり、これらの粉体を樹脂に混入して使用することもある。また、蓄光塗料や蓄光顔料も蓄光材として使用することができる。
【００１８】
【実施例】
以下、本体に不織布を用いた実施例について具体的に説明するが、本発明はこれらの実施例に限定されるものではない。
【００１９】
（実施例１）
目付４９ｇ／ｍ２　・厚み０．３２ｍｍのポリ乳酸スパンボンド不織布（商品名テラマックス、ユニチカ株式会社製）を縦４００ｍｍ×横４２０ｍｍの長方形状に裁断又は打ち抜き、横方向の両端１０ｍｍ部分を折り返してミシン掛けして巾１０ｍｍの接合部を有する本体を形成した。そして、上記接合部には、長さ４５０ｍｍ×直径３ｍｍのポリエステル樹脂ＦＲＰ棒を挿着した。さらに、この棒の下端には、脂肪族共重合ポリエステル生分解性樹脂からなる抜け止め用の返りを備えたペグ（頭の直径４ｍｍ、長さ１０３ｍｍ）の頭部に直径３．１ｍｍ、長さ５０ｍｍの孔をあけて挿入して接着剤で接着した。苗木に本体を装着するときの止め具として、脂肪族共重合ポリエステル生分解性樹脂で作製したフックを用いた。そして、上記本体の上部全周には、警戒色である黄・黒の斜め縞模様のトラテープ（厚み０．１７ｍｍ、巾４５ｍｍの裏面粘着フィルムテープ、日東電工製）を接着して彩色部を形成した。
この実施例によるときは、草食性動物にスズメバチを連想させて警戒心を起こさせることができる。
【００２０】
（実施例２）
実施例１と同様に作製した食害防止具の本体の上部に、巾４５ｍｍで全周に赤の蛍光塗料（商品名ＵＮＩ、東邦産業製）と通常の黒の塗料（商品名Ｆ０１、カンペパピオ製）で各５０ｍｍピッチ巾で交互に塗布して彩色部を形成した。
この実施例によるときは、夜間に光源のある造林地に好適である。
【００２１】
（実施例３）
実施例１と同様に作製した食害防止具の本体の上部に、ストロンチウムアツミネート系の蓄光材をポリエステルフィルムにコーティングした、巾８０ｍｍ×長さ１５０ｍｍの蓄光フィルムシート（商品名：ピカイチ、株式会社妻沼電化工業）を粘着剤で貼り付けて蓄光部を形成した。
この食害防止具を晴天日に屋外で太陽光に１５分間さらした後、暗所でその輝度変化を輝度計（商品名：ＹＯＰＣＯＭ、ＢＭ−８）で測定した。その結果、初期輝度は２０００ｍｃｄ／ｍ２　であり、６　時間にわたって２０ｍｃｄ／ｍ２　の輝度を保ち、その間は目視で蓄光部を確認することができた。
【００２２】
（実施例４）
実施例１と同様に作製した食害防止具の本体の上部に、ストロンチウムアツミネート系の蓄光顔料を透明アクリル系樹脂に分散した蓄光塗料（商品名：スーパールミナスＣ１５，有限会社サン・ニット・カンパニー製）をラッカーシンナーで希釈した後、刷毛塗りで以て巾８０ｍｍ×長さ１５０ｍｍに塗布量０．５ｋｇ／ｍ２　の割合で塗布して、平均膜厚２００〜３００μｍの蓄光部を形成した。
この食害防止具を実施例３と同様にして、輝度変化を測定したところ、初期輝度は１８００ｍｃｄ／ｍ２　であり、５時間にわたって１０ｍｃｄ／ｍ２　の輝度を保ち、その間は目視で蓄光部を確認することができた。
【００２３】
【発明の効果】
本発明によるときは、本体の一部又は全部に視覚に訴える忌避手段を設けたので、草食性動物に警戒心を起こさせて造林地の苗木に接近し難くするようにして食害を未然に防止し、その結果、食害を減少することができる。
【００２４】
また、忌避手段を蓄光材を適用した蓄光部によるときは、造林地全体が夜間に点々と発光する異様な景観が現出されるから、夜間に摂食行動をする草食性動物により一層警戒心を起こさせ、その結果、食害を防止することができる。
【図面の簡単な説明】
【図１】第１の実施の形態に係る食害防止具の使用状態を示す概略説明図である。
【図２】第２の実施の形態に係る食害防止具の使用状態を示す概略説明図である。
【図３】第３の実施の形態に係る食害防止具の使用状態を示す概略説明図である。
【符号の説明】
Ａ・・・食害防止具
Ｔ・・・苗木
１・・・本体
２・・・接合部
３・・・ペグ
４・・・止め具
５，６・・・彩色部
７・・・蓄光部
【図１】
2004049181.tif 000003
【図２】
2004049181.tif 000004
【図３】
2004049181.tif 000005
【手続補正書】
【提出日】平成14年9月30日(2002.9.30)
【手続補正１】
【補正対象書類名】明細書
【補正対象項目名】００１９
【補正方法】変更
【補正の内容】
【００１９】（実施例１）　目付４９ｇ／ｍ２　・厚み０．３２ｍｍのポリ乳酸スパンボンド不織布（商品名テラマック、ユニチカ株式会社製）を縦４００ｍｍ×横４２０ｍｍの長方形に裁断又は打ち抜き、横方向の両端１０ｍｍ部分を折り返してミシン掛けして巾１０ｍｍの接合部を有する本体を形成した。そして、上記接合部には、長さ４５０ｍｍ×直径３ｍｍのポリエステル樹脂ＦＲＰ棒を挿着した。さらに、この棒の下端には、頭部に直径３．１ｍｍ、長さ５０ｍｍの孔をあけ、かつ周面に抜け止め用の返りを備えた、脂肪族共重合ポリエステル生分解性樹脂からなるペグ（頭の直径４ｍｍ、長さ１０３ｍｍ）を挿入して接着剤で固着した。苗木に本体を装着するときの止め具として、脂肪族共重合ポリエステル生分解性樹脂で作製したフックを用いた。そして、上記本体の上部全周には、警戒色である黄・黒の斜め縞模様のトラテープ（厚み０．１７ｍｍ、巾４５ｍｍの裏面粘着フィルムテープ、日東電工製）を接着して彩色部を形成した。
この実施例によるときは、草食性動物にスズメバチを連想させて警戒心をおこさせることができる。


【手続補正２】
【補正対象書類名】明細書
【補正対象項目名】００２１
【補正方法】変更
【補正の内容】
【００２１】（実施例３）　実施例１と同様に作製した食害防止具の本体の上部に、ストロンチウムアルミネート系の蓄光材をポリエステルフィルムにコーティングした、巾８０ｍｍ×長さ１５０ｍｍの蓄光フィルムシート（商品名ピカイチ、株式会社妻沼電化工業製）を粘着剤で貼り付けて蓄光部を形成した。この食害防止具を晴天日に屋外で太陽光に１５分間さらした後、暗所でその輝度変化を輝度計（商品名ＹＯＰＣＯＭ、ＢＭ−８）で測定した。その結果、初期輝度は２０００ｍｃｄ／ｍ２　であり、６時間にわたって２０ｍｃｄ／ｍ２　の輝度を保ち、その間は目視で蓄光部を確認することができた。


【手続補正３】
【補正対象書類名】明細書
【補正対象項目名】００２２
【補正方法】変更
【補正の内容】
【００２２】（実施例４）　実施例１と同様に作製した食害防止具の本体の上部に、ストロンチウムアルミネート系の蓄光顔料を透明アクリル樹脂に分散した蓄光塗料（商品名スーパールミナスＣ１５、有限会社サン・ニット・カンパニー製）をラッカーシンナーで希釈した後、刷毛塗りで以て巾８０ｍｍ×長さ１５０ｍｍに塗布量０．５ｋｇ／ｍ２　の割合で塗布して、平均膜厚２００〜３００μｍの蓄光部を形成した。
この食害防止具を実施例３と同様にして、輝度変化を測定したところ、初期輝度は１８００ｍｃｄ／ｍ２　であり、５時間にわたって１０ｍｃｄ／ｍ２　の輝度を保ち、その間は目視で蓄光部を確認することができた。